【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
複数のコンテンツビューをユーザに提供する方法であって、
プログラムを実行して、コンテンツを第１のビューで生成するステップであって、前記コンテンツは、テキストおよびグラフィックスの少なくとも１つを有するステップと、
前記コンテンツをユーザのマシン上に表示されるように送信するステップであって、前記コンテンツは、前記ユーザが複数のビューから選択できるようにするユーザ操作可能要素を備えるステップと、
前記第１のビューとは異なる第２のビューの選択を前記ユーザから受け取るステップと、
前記プログラムを再実行して、前記コンテンツを前記第２のビューで生成するステップとを含むことを特徴とする方法。
【請求項２】
前記第１のビューのコンテンツはＨＴＭＬウェブページを含むことを特徴とする請求項１に記載の方法。
【請求項３】
前記コンテンツは、検索クエリに応答した複数のウェブページを含むことを特徴とする請求項１に記載の方法。
【請求項４】
前記第１のビューのコンテンツは、前記複数のウェブページの第１のセットに関係する情報を含み、前記第２のビューのコンテンツは、前記複数のウェブページの第２のセットに関係する情報を含み、前記第２のセットは前記第１のセットと同一ではないことを特徴とする請求項３に記載の方法。
【請求項５】
前記プログラムは、１つまたは複数の入力パラメータを受け取り、前記入力パラメータに基づいて出力を生成することを特徴とする請求項１に記載の方法。
【請求項６】
第１の入力パラメータセットは前記第１のビューに対応し、第２の入力パラメータセットは前記第２のビューに対応し、前記プログラムは、入力として前記第１の入力パラメータセットを受け取るか前記第２の入力パラメータセットを受け取るかに従って、前記第１のビューまたは前記第２のビューで前記コンテンツを生成することを特徴とする請求項５に記載の方法。
【請求項７】
前記第１の入力パラメータセットは第１の構成ファイルに記憶され、前記第２の入力パラメータセットは第２の構成ファイルに記憶され、前記プログラムが前記第１の構成ファイルから入力を受け取るようにすることによって、前記プログラムは前記コンテンツを前記第１のビューで生成するようにされ、前記プログラムが前記第２の構成ファイルから入力を受け取るようにすることによって、前記プログラムは前記コンテンツを前記第２のビューで生成するようにされることを特徴とする請求項６に記載の方法。
【請求項８】
コンテンツを生成するためのシステムであって、
複数の構成ファイルと、
前記構成ファイルのうちの第１の構成ファイルに基づいて前記コンテンツを第１のビューで生成し、第２のビューの選択をユーザから受け取り、前記構成ファイルのうちの第２の構成ファイルに基づいて前記コンテンツを第２のビューで生成するコンテンツ生成プログラムとを備え、前記構成ファイルのうちの前記第２の構成ファイルは前記第２のビューに対応し、前記コンテンツは、テキストおよびグラフィックスの少なくとも１つを有することを特徴とするシステム。
【請求項９】
前記第１のビューのコンテンツはユーザ操作可能要素を備え、前記ユーザ操作可能要素は、前記第１のビューのコンテンツがブラウザ上にレンダリングされているときに、前記ユーザが前記第２のビューを含めた１つまたは複数のビューから選択できるようにすることを特徴とする請求項８に記載のシステム。
【請求項１０】
前記第１および第２のビューの各々のコンテンツは、ハイパーテキストマークアップ言語（ＨＴＭＬ）ウェブページを含むことを特徴とする請求項８に記載のシステム。
【請求項１１】
前記コンテンツは検索クエリに応答した結果を含み、前記第１および第２のビューは前記結果に基づく情報を含み、前記第１のビューと前記第２のビューとは相互に同一ではないことを特徴とする請求項８に記載のシステム。
【請求項１２】
前記結果は、複数のウェブページに関係する情報を含み、前記第１のビューは、前記複数のウェブページの第１のセットに関係する情報を含み、前記第２のビューは、前記複数のウェブページの第２のセットに関係する情報を含み、前記第１のセットと前記第２のセットとは相互に同一ではないことを特徴とする請求項１１に記載のシステム。
【請求項１３】
前記構成ファイルは各々１つのビューに対応し、前記構成ファイルのうちの第１の構成ファイルは前記第１のビューに対応し、前記構成ファイルのうちの第２の構成ファイルは前記第２のビューに対応し、前記コンテンツ生成プログラムは、前記コンテンツがどのビューでレンダリングされることになるかに従って、前記構成ファイルのうちの１つから入力を受け取ることを特徴とする請求項８に記載のシステム。
【請求項１４】
ユーザがコンテンツビューを変更できるようにする方法を実施するためのコンピュータ実行可能命令を含むコンピュータ可読媒体であって、前記方法は、
ビュー変更メニューを作成するステップと、
前記ビュー変更メニューに基づいて、ユーザが複数のビューのうちの第１のビューでコンテンツを受け取りたいと思っていることの指示を受け取るステップであって、前記コンテンツは、テキストおよびグラフィックスの少なくとも１つを有するステップと、
前記指示に基づいて前記第１のビューで前記コンテンツを生成するステップであって、前記第１のビューでのコンテンツは、前記ビュー変更メニューを備えるステップとを含むことを特徴とするコンピュータ可読媒体。
【請求項１５】
複数の構成ファイルは別々のビューに対応し、前記構成ファイルのうちの第１の構成ファイルは前記第１のビューに対応し、前記方法はさらに、
前記指示に基づいて、前記複数の構成ファイルの中から前記第１の構成ファイルを選択するステップを含むことを特徴とする請求項１４に記載のコンピュータ可読媒体。
【請求項１６】
前記第１のビューとは異なる第２のビューで前記コンテンツをユーザに配信するステップをさらに含み、前記第２のビューのコンテンツは前記ビュー変更メニューを備えることを特徴とする請求項１４に記載のコンピュータ可読媒体。
【請求項１７】
前記コンテンツは、クエリに応答したウェブページに関する情報を含み、前記第１のビューのコンテンツは、前記ウェブページに関する第１の情報を含み、前記第２のビューのコンテンツは、前記ウェブページに関する第２の情報を含み、前記第１の情報は前記第２の情報とは異なることを特徴とする請求項１４に記載のコンピュータ可読媒体。
【請求項１８】
前記第１の情報は前記ウェブページの第１のセットに基づき、前記第２の情報は前記ウェブページの第２のセットに基づき、前記第１のセットは前記第２のセットと同一ではないことを特徴とする請求項１８に記載のコンピュータ可読媒体。
【請求項１９】
コンテンツのビューを変更する方法であって、
ユーザが１つまたは複数のビューの中から第２のビューを選択できるようにするユーザ操作可能要素を備える、第１のビューのコンテンツを受け取るステップであって、前記コンテンツは、テキストおよびグラフィックスの少なくとも１つを有するステップと、
前記第２のビューを選択するステップと、
前記第２のビューの前記コンテンツを受け取るステップと
を含むことを特徴とする方法。
【請求項２０】
クエリを入力するステップをさらに含み、
前記コンテンツは前記クエリに応答した結果を含むことを特徴とする請求項１９に記載の方法。
【請求項２１】
前記第１のビューの前記コンテンツは、前記結果に関する第１の情報を含み、前記第２のビューの前記コンテンツは、前記結果に関する第２の情報を含み、前記第２の情報は前記第１の情報と同一ではないことを特徴とする請求項２０に記載の方法。
【請求項２２】
前記第１の情報は、前記結果の少なくともいくつかのタイトルを含み、前記第２の情報は、前記結果の少なくともいくつかに関係するグラフィックスを含むことを特徴とする請求項２１に記載の方法。
【請求項２３】
前記第１の情報は前記結果の第１のセットに基づき、前記第２の情報は前記結果の第２のセットに基づき、前記第１のセットは前記第２のセットと同一ではないことを特徴とする請求項２１に記載の方法。